(57)【要約】【課題】  用紙の繰出しミスをなくすと共に分離給紙時における用紙の両端側の浮上がりを防止し、その後の用紙の円滑な搬送を可能とする給紙装置を提供する。【解決手段】  摩擦分離パッド方式よる給紙装置であって、給紙ローラ７は、回転駆動軸７ａに対して用紙幅方向の略中央部に取付けられ、用紙Ｐの幅方向両側部位には用紙の浮上がりを抑制するガイド部材１６（１７、１８）が設けられ、該ガイド部材１６（１７、１８）の浮上がり抑制作用ポイントｃが、前記給紙ローラ７と用紙Ｐとの弾接位置よりも用紙の給送方向に見て下流側に位置することを特徴とする。【選択図】              図２
2006044830.tif 000002
【特許請求の範囲】
【請求項１】
用紙載置部に載置収容された用紙の先端部に上から弾接して上層用紙を繰出し、摩擦分離パッドとの摩擦接触により、用紙を分離・給送する給紙ローラを備えた給紙装置であって、
前記給紙ローラは、回転駆動軸に対して用紙幅方向の略中央部に取付けられ、用紙の幅方向両側部位には用紙の浮上がりを抑制するガイド部材が設けられ、
前記ガイド部材の浮上がり抑制作用ポイントが、前記給紙ローラと用紙との弾接位置よりも用紙の給送方向に見て下流側に位置することを特徴とする給紙装置。
【請求項２】
前記ガイド部材が、前記回転駆動軸に平行な円柱状部材からなることを特徴とする請求項１に記載の給紙装置。
【請求項３】
前記ガイド部材が、前記回転駆動軸に平行に配置され下向きに湾曲した板状部材からなることを特徴とする請求項１に記載の給紙装置。
【請求項４】
前記ガイド部材が、前記回転駆動軸に平行な支軸に回転可能に支持された円盤状コロからなることを特徴とする請求項１に記載の給紙装置。
【発明の詳細な説明】
【技術分野】
【０００１】
本発明は、ファクシミリ装置、複写機或いはプリンタ（これらの複合機も含む）等の画像形成装置において、記録紙カセットや原稿トレイ等の用紙載置部から記録紙或いは原稿を１枚ずつ繰出し、記録部或いは読取部に給送させる為の給紙装置に関する。
【背景技術】
【０００２】
上記給紙装置としては、用紙載置部から用紙を繰出し給送する給紙ローラと、該給紙ローラの周面に摩擦接触して給送用紙の重送を阻止する摩擦パッド或いはノンアクティブリタード等の摩擦分離部材とよりなる、所謂摩擦分離方式が多く採用されている。このような給紙装置では、給紙ローラ及び摩擦分離部材が用紙の幅方向略中央部に位置するので、中央部は規制されるものの、分離爪（スナバー）方式とは異なり、給紙ローラの両側部では何等の規制がされない為、用紙の幅方向両端側が給紙ローラの回転軸側に浮上がり（以下、このような現象を浮上がると表現する）、搬送不良の原因となることが多々ある。また、その後の搬送系のニップによって、上記規制のある部分と規制のない部分との境界部分が筋となって定着されることもある。特に、給紙装置の下流側が急激に立上がり、Ｕターン状に用紙を搬送する用紙搬送系の場合は、用紙両端が浮上がることによる搬送不良や筋がより発生し易くなる。
【０００３】
図７（ａ）（ｂ）は、上記のような摩擦分離方式（分離パッド方式）における繰出し用紙の挙動を示す図であり、（ａ）は、中央部、即ち給紙ローラ付近の状態を、（ｂ）は、給紙ローラから用紙の幅方向に離れた位置での状態を夫々示す。図において、給紙ローラ１００が回転を開始すると、カセット等の用紙載置部に堆積された用紙Ｐが、最上層部より繰出され、分離パッド１０１との間の摩擦接触部に用紙Ｐの先端が導入される。用紙Ｐが複数枚重なって繰出された場合、給紙ローラ１００と分離パッド１０１との摩擦分離作用によって下層用紙の重送が阻止され、１枚だけが分離されて、下流側のガイド部材１０２に沿って搬送ローラ対１０３へと給送される。
【０００４】
上記繰出し給送動作時において、図７（ａ）のように用紙Ｐの幅方向中央部では、給紙ローラ１００の搬送負荷がかかるから、その推進力によりガイド部材１０２間の搬送路内にそのまま進入しようとする。しかし、用紙Ｐの幅方向両側部では、規制するものがないから、図７（ｂ）のように、上記搬送負荷の反力も作用して給紙ローラ１００の回転駆動軸１０４側に浮上がろうとする。浮上がった用紙Ｐの先端部は、内側のガイド部材１０２に突当たり、その結果ジャム等の搬送不良を生じることになる。特許文献１には、このような分離パッド方式における用紙の上反りに起因する搬送不良を解消する為、給紙ロールの両側の回転駆動軸に１対のサイドロールを固定し、用紙の浮上がりを抑えながらサイドロールにも搬送力を付与して給紙する装置が開示されている。
【特許文献１】特開２００２−９６９３７号公報
【発明の開示】
【発明が解決しようとする課題】
【０００５】
上記特許文献１に開示された給紙装置の場合、給紙ローラの回転に伴う給紙時にはサイドロールにより用紙の浮上がりが抑えられるから、用紙が幅方向において略フラットな状態に維持されて給送されることになり、上記のような搬送不良の発生が抑制される。しかし、低湿度環境下に置かれた用紙は、用紙の幅方向端部が反り上がっていることが多く、このような用紙の束を給紙カセットにセットし、上向き付勢された押上板により用紙先端の中央部を給紙ローラの周体に弾接させんとすると、反り上がった部分が上記サイドコロに先に当り、これによって規制される為、中央部の給紙ローラの周体に対する弾接力が十分に確保されず、この弾接力不足から給紙ローラの回転による用紙の繰出しミスが生じる懸念が多分にあった。特に、両側部に反り上がりがある用紙を多数枚束ねて、給紙カセットにセットしようとすると、多数枚の積層による形状保持力が作用して、この反り上がり部分がサイドコロに強く当接し、用紙と給紙ローラの周体との弾接力がより低下することになる。
【０００６】
本発明は、上記のような実情に鑑みなされたものであり、用紙の繰出しミスをなくすと共に分離給紙時における用紙の両端側の浮上がりを防止し、その後の用紙の円滑な搬送を可能とする給紙装置を提供するものである。
【課題を解決するための手段】
【０００７】
本発明の給紙装置は、用紙載置部に載置収容された用紙の先端部に上から弾接して上層用紙を繰出し、摩擦分離パッドとの摩擦接触により用紙を分離・給送する給紙ローラを備えた給紙装置であって、前記給紙ローラは、回転駆動軸に対して用紙幅方向の略中央部に取付けられ、用紙の幅方向両側部位には、用紙の浮上がりを抑制するガイド部材が設けられ、前記ガイド部材の浮上がり抑制作用ポイントが、前記給紙ローラと用紙との弾接位置よりも用紙の給送方向に見て下流側に位置することを特徴とする。
【０００８】
本発明において、前記ガイド部材としては、前記回転駆動軸に平行な円柱状部材からなるもの（請求項２）、前記回転駆動軸に平行に配置され下向きに湾曲した板状部材からなるもの（請求項３）、或いは前記回転駆動軸に平行な支軸に回転可能に支持された円盤状コロからなるもの（請求項４）、等が望ましく採用される。
【発明の効果】
【０００９】
本発明の給紙装置によれば、用紙の幅方向両側部位には用紙の浮上がりを抑制するガイド部材が設けられ、該ガイド部材の浮上がり抑制作用ポイントが、給紙ローラと用紙との弾接位置よりも用紙の給送方向に見て下流側に位置するから、用紙載置部に用紙の束を載置収容する際、ガイド部材の浮上がり抑制作用ポイントと用紙の幅方向両側部の反り上がり部分との相互干渉が少なく、多数枚の積層により反り上がり部分の形状保持力（抗力）が大きくなる場合でも、用紙と給紙ローラの周体との弾接力が低下することがない。従って用紙と給紙ローラの周体との弾接力不足が原因の用紙の繰出しがミスなく円滑になされる。そして、繰出された用紙は、その両側部がガイド部材によって浮上がりの抑制がなされながら給送されるから、用紙が幅方向で略フラットな状態で分離給送され、その下流側が急激に立上がり、Ｕターン状に形成された用紙搬送路であっても、ガイド壁等に用紙が突っ掛ることなく円滑に搬送され、また搬送ローラのニップによっても用紙に筋や皺等が付くこともない。
【発明を実施するための最良の形態】
【００１０】
以下に本発明の最良の実施の形態について図面を参照して説明する。図１は本発明の給紙装置を採用した画像形成装置の一例を示す概略的縦断面図、図２は給紙装置の要部の斜視図であり、図３は同要部の縦断面図、図４は図３におけるＹ方向矢視図である。
【実施例１】
【００１１】
図例の画像形成装置１は、ファクシミリ機能、複写機能及びプリンタ機能を備えた所謂複合機に適用されたものであることを示し、上部より自動原稿送り装置（ＡＤＦ）２、画像読取部３、記録部４及び記録紙の給紙部５が積層状態で構成されている。ＡＤＦ２は、原稿トレイ２ａ上に堆積載置された原稿を、ピックアップローラ２ｂ及び分離手段（分離ローラとリタードローラの対）２ｃにより１枚ずつ繰出し分離し、各搬送ローラ対２ｄ、２ｅ、２ｆにより湾曲搬送路２ｇを搬送させながら、途中ＡＤＦ原稿の読取ポイントｐにおいて、静止した読取走査装置（後記する）３ａによってその画像を読取り、排出ローラ対２ｈによって原稿排出トレイ２ｉ上に順次排出させるべく機能するものである。尚、分離手段２ｃとしては、分離ローラと分離パッドからなるものも多く採用されている。
【００１２】
画像読取部３は、ＡＤＦ読取部３ｂと平板式読取走査部（ＦＢＳ）３ｃとにより構成され、図１は、上記読取走査装置３ａがＡＤＦ読取ポイントｐの直下のＡＤＦ読取部３ｂに静止し、ＡＤＦ２によって順次自動給送される原稿の画像を読取る状態を示している。ＦＢＳ３ｃにおいて画像読取を行う場合は、読取走査装置３ａがＦＢＳ３ｃに移動し、プラテンガラス３ｄの下を左右に往復移動しながら、プラテンガラス３ｄの上に下向きに置かれた原稿の画像を読取る。上記ＡＤＦ２を構成する一連の機構は、プラテンカバー（原稿押圧板）も兼ね、紙面奥側をヒンジ部として上下に開閉可能とされている。
【００１３】
図例の記録部４は、電子写真式記録装置からなることを示し、感光体ドラム４ａ、帯電器４ｂ、光（ＬＥＤ或いはレーザ）書込みユニット４ｃ、現像器４ｄ、転写器４ｅ及び定着器４ｆにより構成される。そして、定着器４ｆの下流側には、排出ローラ対４ｇ及び排出トレイ４ｈが連設されている。この電子写真式記録装置においては、上記画像読取部３で読取られた画情報、或いはファクシミリやパソコン等の外部端末から送信された画情報が、帯電器４ｂによって一様に帯電された感光体ドラム４ａの表面に、光書込みユニット４ｃによって光情報として書き込まれ、感光体ドラム４ａの表面には光情報に基づく静電潜像が形成される。この静電潜像は、現像器４ｄによって現像され、転写器４ｅにおいて、後記する湾曲搬送路１２を搬送されレジストローラ対１４によってレジスト導入された記録紙にトナー画像として逐次転写される。記録紙に転写されたトナー画像は、定着器４ｆによって永久画像として定着され、永久画像が形成された記録紙は、排出ローラ対４ｇによって排出トレイ４ｈ上に排出・堆積される。尚、記録部４を構成するものとしては、図例のような電子写真式記録装置に限定されず、インクリボン式記録装置、インクジェット式記録装置或いは各種カラー記録装置等、公知の記録装置が採用可能であることは言うまでもない。
【００１４】
給紙部５は、紙面垂直方向に出し入れ可能な記録紙カセット（用紙載置部）６を備え、これら記録紙カセット６の前端部上には給紙ローラ７が配設されている。この給紙ローラ７には摩擦分離パッド８が弾接され、給紙ローラ７の回転に伴い、記録紙カセット６に収容された記録紙（用紙）Ｐが、最上層部より繰出され、摩擦分離パッド８の作用を受けて１枚ずつ分離され給送されて行く。記録紙カセット６内には、枢支ピン９ａを支点として上下揺動可能とされた押上板９及び記録紙Ｐの後端を規制する位置調整可能な規制板６ａが設けられている。押上板９は圧縮ばね９ｂにより上向き付勢状態とされる。その他、図示及び説明を割愛するが、記録紙カセット６として必要な付帯部材も装備されるものであることは言うまでもない。なお、図示を省略するが、記録紙カセット６の下に、さらにオプションカセットを配設し、２段以上のマルチカセットシステムを構成することも可能である。
【００１５】
上記摩擦分離パッド８は、パッド台８ａに支持され、該パッド台８ａは、記録紙カセット６の記録紙排出側端部に用紙幅全域に亘り形成された用紙ガイド部材１０の略中央部に圧縮ばね８ｂにより上向き付勢状態で設置されている。この圧縮ばね８ｂによる上向き付勢作用により、摩擦分離パッド８は給紙ローラ７の周面に弾接状態とされる。摩擦分離パッド８の上流側（堆積用紙側）には、給紙ローラ７と摩擦分離パッド８との間への用紙の導入を円滑にする為のフィルム８ｃが着脱自在に装着されている。パッド台８ａに固設されたピン８ｄは、フィルム８ｃを所定位置に位置決め取付ける為のものである。用紙ガイド部材１０の背後には下段カセットからの記録紙が通過し得る間隔を隔てて、ジャムアクセスカバー（メンテナンス用開閉カバー）１１が取付けられており、このジャムアクセスカバー１１は、画像形成装置１における箱型筐体１ａの右側壁部に、ヒンジピン１１ａを支点として開閉可能に取付けられている。ジャムアクセスカバー１１の内面上方部分は記録紙カセット６側に湾曲して、後記する湾曲搬送路１２の一部を形成する。
【００１６】
ジャムアクセスカバー１１の内側には、上記箱型筐体１ａ内に設置された搬送ローラ１３と対合するプレスローラ１３ａが取付けられており、ジャムアクセスカバー１１を、ヒンジピン１１ａを支点として開ければ、搬送ローラ１３とプレスローラ１３ａとの対合が解除され、この付近にジャムした記録紙の取出しが可能とされる。湾曲搬送路１２は、記録紙カセット６から繰出された記録紙を、略１８０度方向転換して、Ｕターン状に搬送し記録部４に向かわせるものである。この湾曲搬送路１２における記録部４の上流側近傍には、レジストローラ対１４が配設され、記録紙がレジストされ、上記感光体ドラム４ａと転写器（転写ローラ）４ｅとの間に導入される。搬送ローラ１３、湾曲搬送路１２及びレジストローラ対１４により、記録紙カセット６から繰出された記録紙を記録部に給送させる為の記録紙搬送手段が構成される。
【００１７】
本発明の給紙装置を、更に詳細に説明する。図において、給紙ローラ７は、ワンウエイクラッチ７ｂを介して駆動軸（回転駆動軸）７ａに軸装されており、駆動軸７ａが図２の矢示方向に回転するとワンウエイクラッチ７ｂがロックされ、給紙ローラ７が同方向に回転するようになされている。駆動軸７ａの一端には、カップリング部７ｃが固着され、給紙ローラ７は、駆動軸７ａ及びこのカップリング部７ｃと共に記録紙カセット６に軸回転可能に取付けられている。記録紙カセット６を画像形成装置１の給紙部５に装着した時には、画像形成装置１内に設置されたモータや伝達機構を含む回転制御アクチュエータ（駆動源）１５のカップリング部１５ａに上記カップリング部７ｃが噛合連接され、この回転制御アクチュエータ１５の駆動力を得て駆動軸７ａが軸回転するようになされている。
【００１８】
記録紙カセット６内の一側部には、記録紙の幅方向に移動可能な幅寄ガイド６ｂが設置され、記録紙サイズに応じてその位置規制が可能とされている。図例の記録紙カセット６は、Ａ４サイズ及びレターサイズの記録紙を収容可能とするもので、幅寄ガイド６ｂはこの両サイズに適合する範囲内で移動可能とされているが、さらに多種の記録紙サイズ（Ａ３、Ｂ４、Ａ４、Ｂ５等）に対応し得るカセットであっても良いことは言うまでもない。  
【００１９】
上記記録紙カセット６の側壁には、給紙ローラ７の両側部分に位置し且つ回転駆動軸７ａに平行となるよう円柱状の用紙浮上がり抑制用のガイド部材１６が取付けられている。該ガイド部材１６の浮上がり抑制作用ポイント（その周面が記録紙Ｐのパスラインに最も接近する位置）ｃは、給紙ローラ７と記録紙カセット６内に載置収容された記録紙Ｐとの弾接位置よりも用紙の給送方向に見て下流側であって、図例では更に摩擦分離パッド８と給紙ローラ７との弾接位置（ニップ位置）ｂよりもやや下流側に位置するよう設定されている。図３は記録紙カセット６に用紙Ｐを載置収容し、給紙前の待機状態を示している。前記用紙ガイド部材１０は、記録紙カセット６の前壁部に形成され、そのガイド面１０ａは給紙ローラ７より大きな曲率で湾曲し、給紙ローラ７に斜めに（給送方向側が立ち上がるように）対面する凹曲面とされている。そして、このガイド面１０ａは摩擦分離パッド８と給紙ローラ７との弾接面より、反給紙ローラ７側に段差状に、且つその下流側端部ａは、摩擦分離パッド８と給紙ローラ７との弾接位置（ニップ位置）ｂより上方に位置するように形成されている（図２、図３参照）。
【００２０】
上記構成の給紙装置による給紙の要領について述べる。先ず、記録紙カセット６内の押圧板９上に圧縮ばね９ｂの弾力に抗するように記録紙Ｐの束を収容載置すると、ばね９ｂの復元弾力により記録紙束の最上層紙Ｐの中央部が給紙ローラ７の周体に弾接される。これにより、実質的に給紙ローラ７が上方より記録紙束の最上層紙Ｐに弾接されることになる。この場合、記録紙Ｐは、低湿度環境下にあると、その幅方向両側部が反り上がっていることが多く、そのまま多数枚を束ねてセットすると、図３の１点鎖線部Ｐ１で示すように浮上がった状態となる。而して、上記のように、ガイド部材１６の浮上がり抑制作用ポイントｃは、給紙ローラ７と記録紙カセット６内に載置収容された記録紙Ｐとの弾接位置よりも用紙の給送方向に見て下流側に位置するから、ガイド部材１６がこの浮上がり部分Ｐ１に干渉せず、上記弾接力が阻害されることがなく、記録紙Ｐの繰出しに適正な弾接力が確保される。
【００２１】
そして、給紙ローラ７を図２及び図３の矢示方向に回転させると、上記弾接と給紙ローラ７表面の摩擦作用とにより上記最上層紙Ｐが繰出され、給紙ローラ７と摩擦分離パッド８とのニップ位置ｂに導入される。この時、記録紙Ｐが複数枚重なって繰出されると、上記ニップ位置ｂでの分離作用により最上層の記録紙Ｐのみが分離され、ガイド面１０ａで案内されながら給送される。その後、搬送ローラ対１３、１３ａ及びレジストローラ対１４により、レジスト搬送されて湾曲搬送路１２を経て記録部４に送致され、印字排出される。
【００２２】
このような給紙装置においては、給紙ローラ７から繰出された記録紙Ｐの先端部が搬送ローラ対１３、１３ａにニップされると、回転駆動軸７ａが停止するよう制御シークエンスが設定される。従って、その後は、記録紙Ｐは搬送ローラ対１３、１３ａによって搬送されることになるので、記録紙Ｐの引張り力により上記ワンウエイクラッチ７ｂがアンロック状態となり、給紙ローラ７を空回り状態で記録紙Ｐの給送を続行することができる。先行の記録紙Ｐの後端が上記給紙ローラ７と摩擦分離パッド８とのニップ位置から抜け出ると、再び駆動軸７ａが駆動し給紙ローラ７が回転して後続の記録紙Ｐが上記同様にニップ位置ｂに導入され、分離・給送され、これが給紙停止信号が発信されるまで順次繰返えされる。この連続給紙に伴い、記録紙カセット６内の記録紙Ｐは漸次減っていくが、押上板９は圧縮ばね９ｂにより常時上方付勢されているから、最上層の記録紙Ｐは給紙ローラ７の周体に弾接し、上記繰出しが滞ることなくなされる。
【００２３】
上記記録紙Ｐが繰出され、搬送ローラ対１３、１３ａにニップされるまでの動作状態について、図４も参照して説明する。図３の状態から、駆動軸７ａが矢示方向に回転を開始すると、前記のように給紙ローラ７と記録紙束の最上層紙Ｐとの弾接と給紙ローラ７表面の摩擦作用とにより上記最上層紙Ｐが繰出され、給紙ローラ７と摩擦分離パッド８とのニップ位置ｂに導入される。図４は、最上層紙Ｐの先端部が、給紙ローラ７と摩擦分離パッド８とのニップ位置ｂにニップされた直後の状態を示し、この状態では、最上層紙Ｐの両側部は浮上がろうとするが、ガイド部材１６の周面がこの記録紙Ｐの浮上がり部分に当接し、押し下げるようにして相対摺接する。従って、記録紙Ｐはその幅方向では略フラットな状態に維持され、搬送路で突っ掛ることなく円滑に給送がなされる。記録紙Ｐの先端部が搬送ローラ対１３、１３ａにニップされた後は、駆動軸７ａは停止し、給紙ローラ７は前記のように、ワンウエイクラッチ７ｂのアンロックにより空回り状態となる。
【００２４】
また、上記給紙ローラ７と摩擦分離パッド８とによる記録紙Ｐの分離・給送時においては、図４に示すように、用紙ガイド面１０ａが給紙ローラ７と摩擦分離パッド８との弾接面より１段低くなっているから、記録紙Ｐは上記ニップ部の両側において上下がフリーとなって規制がなされない。従って、給紙ローラ７の両側部分、即ち、前記従来技術のように、規制のある部分と規制のない部分との境界部分が筋となって定着されるような懸念がない。
【００２５】
ガイド面１０ａは、給紙ローラ６に斜めに対面する凹曲面とされているから、記録紙Ｐは給紙ローラ７と摩擦分離パッド８とにより分離された後は、急激に立ち上がるように給送され、搬送ローラ対１３、１３ａに向かう。従って、この間記録紙Ｐに対してストレスが付加されるが、記録紙Ｐは幅方向に見てフラットな状態に維持されて給送されるから、搬送路のガイドに沿って円滑に給送される。しかも、ガイド面１０ａの下流側端部ａは、摩擦分離パッド８と給紙ローラ７との弾接位置（ニップ位置）ｂより、上方に位置するように形成されているから、このニップ位置ｂより抜け出た記録紙Ｐの前端部は前垂れすることなくそのまま推進され、搬送ローラ対１３、１３ａに給送される。尚、図３では上記下流側端部ａと搬送ローラ対１３、１３ａとは離れた位置関係で描かれているが、これらはもっと接近しても良く、或いは両者の間に、画像形成装置１の箱型筐体１ａに形成された別のガイド部材を介在させるようにしても良いことは言うまでもない。
【００２６】
このように、記録紙カセット６から繰出ミスがなく繰出された記録紙Ｐは、１８０度方向転換してＵターン状に曲成された湾曲用紙搬送路１２に沿って搬送するよう構成した画像形成装置１の場合でも、その円滑な搬送が保証され、また従来のような筋の発生を伴うことなく給送されるから、画像形成装置１のコンパクト化に寄与すると共に印字品質の低下を来たすこともない。
【実施例２】
【００２７】
図５は第２の実施形態の図３と同様図であり、回転駆動軸７ａに平行に配置され下向きに湾曲した板状部材からなる用紙浮上がり抑制用のガイド部材１７が設けられた例を示している。このガイド部材１７は、記録紙カセット６の側壁に取付けられ、その取付け位置及び長さは上記第１の実施例のガイド部材１６と略同じとされている。また、その湾曲頂部である浮上がり抑制作用ポイントｃは、摩擦分離パッド８と給紙ローラ７との弾接位置（ニップ位置）ｂよりもやや下流側に位置するよう設定され、記録紙カセット６内に収容載置された記録紙Ｐと干渉しない位置とされている。
【００２８】
したがって、この場合も、上記第１の実施例と同様に、ガイド部材１７が記録紙Ｐの反り上がりによる浮上がり部分Ｐ１に干渉せず、上記弾接力が阻害されることがなく、記録紙Ｐの繰出しに適正な弾接力が確保される。そして、給紙ローラ７の矢示方向への回転に伴い、上記弾接と給紙ローラ７表面の摩擦作用とにより、上記同様に、最上層紙Ｐが繰出され、給紙ローラ７と摩擦分離パッド８とのニップ位置ｂに導入される。また、記録紙Ｐの重送も、上記ニップ位置ｂでの分離作用により防止される。更に、ガイド部材１７の湾曲下面がこの給送される記録紙Ｐの浮上がり部分に当接し、押し下げるようにして相対摺接する。従って、記録紙Ｐはその幅方向では略フラットな状態に維持され、搬送路で突っ掛ることなく円滑に給送がなされる点も上記と同様である。その他の構成は上記実施例と同様であるので、共通部分に同一の符号を付し、その説明を割愛する。
【実施例３】
【００２９】
図６は第３の実施形態の図２と同様図であり、回転駆動軸７ａに平行な支軸１８ａに回転可能に支持された円盤状コロからなる用紙浮上がり抑制用のガイド部材１８が設けられた例を示している。この円盤状コロからなるガイド部材１８は、記録紙Ｐの給送に伴いつれ回りしてその浮上がりを抑制し、幅方向では記録紙Ｐを略フラットな状態に維持し、円滑な記録紙Ｐの給送が約束される。また、ガイド部材１８の周上で記録紙Ｐの給送パスラインに最も近接する位置である浮上がり抑制作用ポイントｃは、摩擦分離パッド８と給紙ローラ７との弾接位置（ニップ位置）ｂよりもやや下流側に位置するよう設定され、記録紙カセット６内に収容載置された記録紙Ｐと干渉しない位置とされており、これにより、上記同様記録紙の載置収容時に上記弾接力が阻害されることがなく、記録紙Ｐの繰出しに適正な弾接力が確保される。その他の構成は上記実施例と同様であるので、共通部分に同一の符号を付し、その説明を割愛する。
【００３０】
尚、図例では、記録紙の搬送系に適用した例を示したが、摩擦分離パッド方式による自動原稿送り装置や、その他の画像形成装置における用紙の分離搬送系にも、本発明の給紙装置が適用され得ることは言うまでもない。
【図面の簡単な説明】
【００３１】
【図１】本発明の給紙装置を採用した画像形成装置の一例を示す概略的縦断面図である。
【図２】給紙装置の要部の斜視図である。
【図３】同要部の縦断面図である。
【図４】図３におけるＹ方向矢視図である。
【図５】第２の実施形態の図３と同様図である。
【図６】第３の実施形態の図２と同様図である。
【図７】従来の給紙装置の１例を示す概略的正面断面図であり、（ａ）は中央部の給紙ローラ付近の状態を、（ｂ）は給紙ローラから用紙の幅方向に離れた位置での状態を夫々示す。
【符号の説明】
【００３２】
６      記録紙カセット（用紙載置部）
７      給紙ローラ
７ａ    回転駆動軸
８      摩擦分離パッド
１６    用紙浮上がり抑制用のガイド部材（円柱状部材）
１７    用紙浮上がり抑制用のガイド部材（湾曲した板状部材）
１８    用紙浮上がり抑制用のガイド部材（円盤状コロ）
１８ａ  支軸
Ｐ      記録紙（用紙）
【図１】
2006044830.tif 000003
【図２】
2006044830.tif 000004
【図３】
2006044830.tif 000005
【図４】
2006044830.tif 000006
【図５】
2006044830.tif 000007
【図６】
2006044830.tif 000008
【図７】
2006044830.tif 000009